(57)【要約】【課題】本発明は、構造が簡単であり且つコストが低い外付け型タッチ式キーボードを提供することを目的とする。【解決手段】本発明に係る外付け型タッチ式キーボードは、電子装置に接続されて用いられ、且つタッチパネル、接続線を介してタッチパネルに接続された制御モジュール及び信号伝送インタフェースと、キー標識層及び導光板と、を備える。キー標識層は、キー標識部を含み、且つタッチパネルと導光板との間に設置される。キー標識部は、インクの印刷によって形成される。【選択図】図２
2012230677.tif 000002
【特許請求の範囲】
【請求項１】
電子装置に接続されて用いられ、且つタッチパネルと、接続線を介して前記タッチパネルに接続された制御モジュール及び信号伝送インタフェースと、を備える外付け型タッチ式キーボードにおいて、
前記外付け型タッチ式キーボードは、キー標識層及び導光板をさらに備え、
前記キー標識層は、キー標識部を含み、且つ前記タッチパネルと前記導光板との間に設置され、
前記キー標識部は、インクの印刷によって形成されることを特徴とする外付け型タッチ式キーボード。
【請求項２】
前記インクは、感光インクであることを特徴とする請求項１に記載の外付け型タッチ式キーボード。
【請求項３】
前記キー標識部が無色の感光インクの印刷によって形成された場合、前記導光板に対する通電によって前記感光インクが発光して前記キー標識部が表示されることを特徴とする請求項２に記載の外付け型タッチ式キーボード。
【請求項４】
前記外付け型タッチ式キーボードは、前記タッチパネルに接着されている手書き板をさらに備えることを特徴とする請求項１〜３のいずれか一項に記載の外付け型タッチ式キーボード。
【請求項５】
前記手書き板は、電子装置内にインストールされている駆動ソフトによって作動し、且つ軟性ケーブルを介して、制御モジュールと電気的に接続されて、ユーザーの前記手書き板に対する作用によって発生した信号を電子装置に伝送することを特徴とする請求項４に記載の外付け型タッチ式キーボード。
【請求項６】
前記タッチパネルの数量及び前記導光板それぞれの数量は２つであり、前記２つのタッチパネルは、軟性ケーブルを介して電気的に接続され、前記２つの導光板は、軟性ケーブルを介して電気的に接続され、前記２つのタッチパネル及び前記２つの導光板は、それぞれ接続された箇所によって折り畳み可能であることを特徴とする請求項１〜５のいずれか一項に記載の外付け型タッチ式キーボード。
【発明の詳細な説明】
【技術分野】
【０００１】
本発明は、タッチ式キーボードに関し、特に外付け型タッチ式キーボードに関するものである。
【背景技術】
【０００２】
近年、タッチ技術の発展に伴い、タッチパネルが広く用いられるようになり、且つその形式も多様化されている。
【０００３】
ノート型パソコン、ハンドヘルドコンピューター、タブレットパソコン、スマートフォンなど、タッチ技術を採用した電子装置におけるディスプレイは、タッチ機能を有するので、該電子装置に対して、バーチャルキーボードを通して操作を行うことができるが、該バーチャルキーボードのディスプレイにおける占有面積は大きい。また、ディスプレイが小さい場合、該ディスプレイに表示されたバーチャルキーボードの面積も小さくなるため、操作が不便である。しかし、ディスプレイの面積を大きくして、バーチャルキーボードの面積を拡大すれば、電子装置自体が大きくなり、携帯に不便である。
【０００４】
以上の問題を解決するために、外付け型タッチ式キーボードが開発された。従来の外付け型タッチ式キーボードは、タッチパネル、駆動回路、機能転換回路及びＯＬＥＤディスプレイを備える。前記機能転換回路は、異なる入力された信号に基づいて、入力状態をバーチャルキーボードモード又は手書きモードに転換させる。前記駆動回路は、前記機能転換回路が出力したモードに基づいて、対応するバーチャルキーボードモード又は手書きモードが表示されるように、前記ＯＬＥＤディスプレイを駆動させる。前記タッチパネルは、前記ＯＬＥＤディスプレイに表示されたモード下で、入力されたタッチ信号を検知する。しかし、従来の外付け型タッチ式キーボードは、構造が複雑であり、コストが高く、且つＯＬＥＤディスプレイの電力消耗が大きい。
【発明の概要】
【発明が解決しようとする課題】
【０００５】
以上の問題点に鑑みて、本発明は、構造が簡単であり且つコストが低い外付け型タッチ式キーボードを提供することを目的とする。
【課題を解決するための手段】
【０００６】
前記問題を解決するために、本発明に係る外付け型タッチ式キーボードは、電子装置に接続されて用いられ、且つタッチパネルと、接続線を介して前記タッチパネルに接続された制御モジュール及び信号伝送インタフェースと、キー標識層及び導光板と、を備える。キー標識層は、キー標識部を含み、且つ前記タッチパネルと前記導光板との間に設置される。キー標識部は、インクの印刷によって形成される。
【発明の効果】
【０００７】
本発明に係る外付け型タッチ式キーボードは、外付け型の装置としてコンピューター、ゲーム機、携帯電話などのような電子装置に接続されて用いられ、電子装置のディスプレイのサイズを変更しない前提下で、前記電子装置に対して操作することができるので、タッチ式キーボードの使用が便利であり、構造が簡単である。且つ、本発明に係る外付け型タッチ式キーボードにおけるキー標識層が、感光インクの印刷によって形成されるので、製造コストが低い。また、本発明に係る外付け型タッチ式キーボードのキー標識層を無色透明状に設計した場合、導光板が通電すれば、キー標識が発光してタッチパネルを透過して表示されるため、美しい外観を有し、また本発明に係る外付け型タッチ式キーボードのキー標識層を有色透明状に設計した場合、導光板が通電しなくてもキー標識が表示されるため、電力を節約することができる。
【図面の簡単な説明】
【０００８】
【図１】本発明の第一実施形態に係る外付け型タッチ式キーボードの斜視図である。
【図２】図１に示した外付け型タッチ式キーボードの分解図である。
【図３】図１に示したタッチパネルの局部断面図である。
【図４】本発明の第二実施形態に係る外付け型タッチ式キーボードの斜視図である。
【図５】図４に示した外付け型タッチ式キーボードの分解図である。
【図６】本発明の第三実施形態に係る外付け型タッチ式キーボードの斜視図である。
【図７】図６に示した外付け型タッチ式キーボードの分解図である。
【発明を実施するための形態】
【０００９】
以下、図面に基づいて、本発明に係る外付け型タッチ式キーボードについて詳細に説明する。
【００１０】
本発明に係る外付け型タッチ式キーボードは、デスクトップコンピューター、ハンドヘルドコンピューター、タブレットパソコン、スマートフォン、ゲーム機、携帯電話などの電子装置の操作に用いられる。
【００１１】
図１及び図２に示したように、前記外付け型タッチ式キーボード１００は、タッチパネル１０、キー標識層１２及び導光板１４を備える。前記キー標識層１２は、前記タッチパネル１０と前記導光板１４との間に設置される。
【００１２】
図３を参照すると、前記タッチパネル１０は透光性の透明な静電容量式タッチパネルであり、且つ保護層１０２、第一導電層１０４、基体１０５及び第二導電層１０６を備える。前記保護層１０２、前記第一導電層１０４、前記基体１０５及び前記第二導電層１０６は、上から下に順に積層されている。本実施形態において、前記保護層１０２は、二酸化ケイ素又はポリエチレンテレフタレート（ＰＥＴ）薄膜からなる。前記第一導電層１０４は、位置を測定するための機能層として、インジウム錫酸化物（ＩＴＯ)、アルミニウム酸化物添加亜鉛酸化物（ＺＡＯ)或いは酸化カドミウム（ＣｄＯ）などのような透明導電材料からなる。前記基体１０５はガラス板或いは透明プラスチック板である。前記第二導電層１０６は透明導電材料からなり、且つシールド層として、前記タッチパネル１０が静電気或いは電磁波に干渉されることを防ぎ、前記タッチパネル１０に理想的な動作環境を提供する。
【００１３】
前記外付け型タッチ式キーボード１００は、前記タッチパネル１０に接続されている接続線１０７と、前記接続線１０７の末端に設置されている信号伝送インタフェース１０８と、前記接続線１０７と前記信号伝送インタフェース１０８との間に設置されている制御モジュール１０９と、を備える。前記接続線１０７は、前記外付け型タッチ式キーボード１００と電子装置とを接続することに用いられる。また、前記信号伝送インタフェース１０８はプラグ式のＵＳＢコネクタであり、電子装置のＵＳＢポートに接続される。前記制御モジュール１０９は集積チップであり、前記制御モジュール１０９内には、座標範囲情報及びそれに対応する指令信号が予め記憶されている。前記制御モジュール１０９は、軟性ケーブル（図示せず）を介して、前記第一導電層１０４、前記第二導電層１０６及び前記接続線１０７に電気的に接続されている。ユーザーの指先或いはタッチペンのペン先などが前記タッチパネル１０の保護層１０２に接触する瞬間、前記指先或いはタッチペンのペン先と前記タッチパネル１０との間には静電容量が発生する。従って、前記制御モジュール１０９は、電流の変化を測定して、接触位置の座標を判断すると共に、対応する指令信号を出した後、この指令信号をコンピューターなどの電子装置に伝送する。
【００１４】
本発明に係るタッチパネル１０は、抵抗膜式、表面音波式或いは光学式などのタッチパネルとすることもできる。
【００１５】
また、前記外付け型タッチ式キーボード１００が無線式のキーボードである場合、前記制御モジュール１０９を前記タッチパネル１０の側辺に独立して設置してもよい。或いは、無線モジュールと前記制御モジュール１０９とを統合して前記タッチパネル１０の側辺に設置することで、前記外付け型タッチ式キーボード１００の構造をさらに簡単にすることもできる。
【００１６】
前記キー標識層１２は、前記タッチパネル１０の前記保護層１０２から離れた表面に付着し、且つ薄膜１２２及び前記薄膜１２２に印刷された複数のキー標識部１２４を備える。前記薄膜１２２は、ポリエチレンテレフタレート又はポリアミド（ＰＡ）などのような透明材料からなる。前記キー標識部１２４は、感光インクの印刷によって形成される。前記キー標識層１２は無色透明であり、前記導光板１４からの特定波長の光線が前記キー標識層１２に照射されると、前記感光インクが発光して前記複数のキー標識部１２４が表示される。前記キー標識部１２４の分布及び標示内容は、実際の必要に応じて設計することができ、例えば前記標示内容は、アルファベット、漢字、平仮名或いは方向キーなどである。前記キー標識部１２４の情報（例えば、キーの座標範囲情報及び対応する指令信号）は、前記タッチパネル１０の制御モジュール１０９内に予め記憶されており、且つ前記タッチパネル１０のタッチされる位置にそれぞれ対応する。
【００１７】
また、前記薄膜１２２は、透明材料以外の有色材料からなることもできる。これにより、前記外付け型タッチ式キーボード１００の外観が向上する。
【００１８】
また、前記キー標識層１２は、キーを印刷された有色透明層とすることもできる。従って、特定波長の光線を照射しなくてもキーを表示することができる。
【００１９】
また、前記キー標識層１２は、前記タッチパネル１０の前記保護層１０２から離れた表面に、直接印刷して形成されたインク層とすることができる。又は、前記導光板１４の前記タッチパネル１０に近接する表面に直接印刷して形成されたインク層とすることもできる。
【００２０】
前記導光板１４は平板状を呈し、且つ前記キー標識層１２及び前記タッチパネル１０に均一な明るさを提供する。前記導光板１４は、側光型又は直下型とすることができる。
【００２１】
前記外付け型タッチ式キーボード１００に通電しない場合、前記キー標識部１２４は発光しない。即ち、前記タッチパネル１０の上面から前記キー標識部１２４を視認できず、前記外付け型タッチ式キーボード１００の全体は無色透明である。前記外付け型タッチ式キーボード１００に通電した場合、前記キー標識部１２４は発光し、前記タッチパネル１０を透過して表示される。この際、ユーザーが前記タッチパネル１０をタッチすると、前記制御モジュール１０９は、タッチされた位置を検知すると共に、タッチされた位置の座標情報を記録し、前記座標情報と予め記憶された前記キー標識部１２４の座標範囲情報とを比較して、タッチされた位置に対応する指令信号を、前記信号伝送インタフェース１０８を介して出力する。
【００２２】
また、前記外付け型タッチ式キーボード１００には、操作したい電子装置に基づいて、異なる前記キー標識部１２４を設計することもできる。従って、操作が便利である。
【００２３】
図４及び図５を参照すると、本発明の第二実施形態に係る外付け型タッチ式キーボード２００は、タッチパネル２０、キー標識層２２、手書き板４０及び導光板２４を備える。前記手書き板４０は、前記タッチパネル２０の一側辺に設置される。即ち、前記手書き板４０と前記タッチパネル２０とは同じ層に位置する。前記キー標識層２２は、前記手書き板４０及び前記タッチパネル２０が位置する層と、前記導光板２４との間に設置される。
【００２４】
第二実施形態における前記タッチパネル２０、前記キー標識層２２及び前記導光板２４は、第一実施形態における前記タッチパネル１０、前記キー標識層１２及び前記導光板１４と同じであるので、それらに対する説明は省略する。
【００２５】
前記手書き板４０は透明材料からなり、且つ前記タッチパネル２０の一側辺に接着される。前記手書き板４０は、電子装置内にインストールされている駆動ソフトによって作動し、且つ軟性ケーブル（図示せず）を介して、制御モジュール２０９と電気的に接続される。従って、ユーザーの前記手書き板４０に対する操作軌跡、マウスの移動方向などの信号を電子装置に伝送して、前記電子装置に、相応する情報を出力させる。或いは相応する指令を執行させる。
【００２６】
図６及び図７を参照すると、本発明の第三実施形態に係る外付け型タッチ式キーボード３００の特徴は、この外付け型タッチ式キーボード３００が折り畳み可能であることである。折り畳めることにより、前記外付け型タッチ式キーボード３００の全体の平面面積が縮小できて、携帯に便利である。前記外付け型タッチ式キーボード３００は、互いに電気的に接続されている２つのタッチパネル３０と、互いに電気的に接続されている２つの導光板３４と、前記２つのタッチパネル３０と前記２つの導光板３４との間に設置されているキー標識層３２と、を備える。
【００２７】
前記２つのタッチパネル３０及び前記２つの導光板３４は、軟性ケーブル（図示せず）を介して電気的にそれぞれ接続され、且つ折り畳むことができるので、携帯に便利である。前記キー標識層３２は、前記タッチパネル３０の前記導光板３４に近接する表面に付着される。本実施形態に係る外付け型タッチ式キーボード３００は、折り畳むことができるので、前記外付け型タッチ式キーボード３００の平面面積を縮小することができる。
【００２８】
また、他の実施形態について、前記外付け型タッチ式キーボード３００が、互いに電気的に接続されている複数のタッチパネル３０、及び互いに電気的に接続されている複数の導光板３４を備えることができる。これにより、前記外付け型タッチ式キーボード３００の平面面積をさらに減少させることができる。この際、前記タッチパネル３０の数量と前記導光板３４の数量とは同じである。
【００２９】
本発明に係る外付け型タッチ式キーボード１００、２００、３００は、外付け設備として電子装置に用いられる。該電子装置のディスプレイのサイズを変更しない前提の下、ユーザーの要求に基づいて適切なサイズの外付け型タッチ式キーボード、または折り畳み式タッチ式キーボードを設計することができるので、タッチ式キーボードの使用の利便性を大きく向上させることができる。
【００３０】
また、本発明に係る外付け型タッチ式キーボード１００、２００、３００は、構造が簡単であり、且つキー標識層１２、２２、３２は感光インクの印刷によって形成されるので、製造コストが低い。
【００３１】
また、本発明に係る外付け型タッチ式キーボードを無色透明に設計した場合、導光板に通電すれば、キー標識が発光してタッチパネルを透過して表示されるため、美しい外観を有し、また本発明に係る外付け型タッチ式キーボードを有色透明に設計した場合、導光板に通電しなくてもキー標識が表示されるため、電力を節約することができる。
【００３２】
以上、本発明の好適な実施形態について詳細に説明したが、本発明は前記実施形態に限定されるものではなく、本発明の技術的範囲内で種々の変形又は修正が可能であり、該変形又は修正も又、本発明の特許請求の範囲内に含まれるものであることは、いうまでもない。
【符号の説明】
【００３３】
１００、２００、３００  外付け型タッチ式キーボード
１０、２０、３０  タッチパネル
１２、２２、３２  キー標識層
１４、２４、３４  導光板
１０２  保護層
１０４  第一導電層
１０５  基体
１０６  第二導電層
１０７  接続線
１０８  信号伝送インタフェース
１０９、２０９  制御モジュール
１２２  薄膜
１２４  キー標識部
４０  手書き板
【図１】
2012230677.tif 000003
【図２】
2012230677.tif 000004
【図３】
2012230677.tif 000005
【図４】
2012230677.tif 000006
【図５】
2012230677.tif 000007
【図６】
2012230677.tif 000008
【図７】
2012230677.tif 000009